(57)【要約】【課題】第一入室者が警備装置の動作モードを警備解除状態にすることを忘れて監視区域に進入することによって発生する誤報を防止し、長年の使用によっても劣化せず、かつ外観上の美観を損ねないこと。【解決手段】警備装置により異常事態の発生の有無が監視されている監視区域の出入口に設置され、操作者の操作に応じてデッドボルト２０を孔部１３へ挿入することにより出入口扉１０を施錠状態とする施錠装置において、孔部１３内に移動不能に設けられ、前記警備装置の動作を決定する動作モードが警備状態に設定されている場合、デッドボルト２０を孔部１３へ挿入された状態に保持する保持部とを備え、前記保持部は、電磁石２１またはソレノイドを含み、電磁石２１または前記ソレノイドに対する通電によってデッドボルト２０を孔部１３内に挿入された状態に保持する。【選択図】        図３
2007186955.tif 000002
【特許請求の範囲】
【請求項１】
警備装置により異常事態の発生の有無が監視されている監視区域の出入口に設置され、操作者の操作に応じてデッドボルトを孔部へ挿入することにより出入口扉を施錠状態とする施錠装置において、
前記警備装置の動作を決定する動作モードが、前記監視区域の異常を監視するモードである警備状態に設定されている場合、前記デッドボルトを前記孔部へ挿入された状態に保持する保持部と、
を備えたことを特徴とする施錠装置。
【請求項２】
前記保持部は、前記孔部内に移動不能に設けられていること、
を特徴とする請求項１に記載の施錠装置。
【請求項３】
前記動作モードが前記警備状態に設定されているときに前記保持部の移動を検知した場合、前記警備装置の前記動作モードが前記警備状態に設定されている旨を出力する出力部を更に備え、
前記保持部は、前記孔部内に一定の範囲で移動可能に設けられていること、
を特徴とする請求項１に記載の施錠装置。
【請求項４】
前記保持部は、電磁石またはソレノイドを含み、前記電磁石または前記ソレノイドに対する通電によって前記デッドボルトを前記孔部内に挿入された状態に保持すること、
を特徴とする請求項１〜３のいずれか一つに記載の施錠装置。
【請求項５】
警備装置により異常事態の発生の有無が監視されている監視区域の出入口に設置され、操作者の操作に応じてデッドボルトを孔部へ挿入することにより出入口扉を施錠状態とする施錠方法において、
前記警備装置の動作を決定する動作モードが、前記監視区域の異常を監視するモードである警備状態に設定されている場合、前記デッドボルトを前記孔部へ挿入された状態に保持する工程を含むこと、
を特徴とする施錠方法。
【発明の詳細な説明】
【技術分野】
【０００１】
本発明は、警備装置によって監視される監視区域の出入口扉を施錠する施錠装置および施錠方法に関するものであり、特に、利用者が警備装置の動作モードを警備解除状態にすることを忘れて監視区域に進入することによって発生する誤報を防止する施錠装置および施錠方法に関する。
【背景技術】
【０００２】
従来、監視区域に設置され、動作モードが警備状態に設定されているときに監視区域に設置されている各種センサにより窓や扉の開放あるいは人の存在等が検知されると監視区域への不法侵入が発生したと判断し、監視センタに警報を送信する警備装置が一般に知られている。
【０００３】
上記従来の警備装置では、監視区域への出入口付近に警備装置の動作モードを設定するための操作器が設置されており、最終退出者は、監視区域から退出した後、操作器により警備装置の動作モードを警備状態に設定する。また、第一入室者は、操作器により警備装置の動作モードを警備解除状態に設定した後、監視区域に進入する。したがって、最終退出者が退出してから第一入室者が進入するまでの間は、警備装置の動作モードが警備状態に設定されているため、監視区域に設置されている各種センサにより窓や扉の開放等が検知されると監視区域への不法侵入が発生したと判断して、警備装置から監視センタに警報を送信する。そして、この送信された警報に応じて、警備会社等の警備員がその監視区域に急行することになる。
【０００４】
ところで、警備装置の動作モードが警備状態に設定されているときに、第一入室者が警備装置の動作モードを警備解除状態に設定することを忘れ、出入口扉を開放した場合でも、監視センタへ警報が送信されてしまう。警報を受信した監視センタでは、不法侵入を検知したのか、第一入室者の誤った出入口扉の開放を検知したのかを識別することは出来ず、警報を受信した場合は常に警備員をその監視区域に急行させている。このため、警備会社としては、このような誤報も含めた警報に対応するための警備員の確保が必要となっていた。
【０００５】
そこで、第一入室者が警備装置の動作モードを警備解除状態に設定する前に誤って出入口扉を開放してしまうことを阻止するために注意喚起する装置が開示されている（例えば、特許文献１参照）。この特許文献１の装置は、最終退出者が警備装置の動作モードを警備状態に設定すると、注意喚起棒が所定の位置まで回動し、警備装置の動作モードが警備状態に設定されている間出入口扉の開放を阻止するものである。即ち、第一入室者がこの注意喚起棒の阻止力以上の力で強引に出入口扉を開けない限り出入口扉は開放されないため、第一入室者に警備装置の動作モードが警備状態に設定されていることを注意喚起するとともに、監視センタへの誤報の送信を防止することができるようにしている。
【０００６】
【特許文献１】特開平１０−３５８５号公報
【発明の開示】
【発明が解決しようとする課題】
【０００７】
しかしながら、上記特許文献１の技術では、警備装置の動作モードが警備状態に設定されている状態での出入口扉の開動作が頻繁になされると、その衝撃により注意喚起棒が次第に劣化し、通常の力を加えただけでも注意喚起棒が折れて出入口扉が開放されてしまう可能性があるという問題がある。また、出入口扉や出入口扉付近の壁面に装置を設置する必要があり、外観上の美観を損ねるという問題もあった。
【０００８】
本発明は、上記に鑑みてなされたものであって、長年の使用によっても劣化することなく第一入室者に警備装置の動作モードが警備状態に設定されていることを注意喚起するとともに、第一入室者が警備装置の動作モードを警備解除状態にすることを忘れて監視区域に進入することによって発生する誤報を防止し、かつ、外観上の美観を損ねることのない施錠装置および施錠方法を得ることを目的とする。
【課題を解決するための手段】
【０００９】
上述した課題を解決し、目的を達成するために、本発明は、警備装置により異常事態の発生の有無が監視されている監視区域の出入口に設置され、操作者の操作に応じてデッドボルトを孔部へ挿入することにより出入口扉を施錠状態とする施錠装置において、前記警備装置の動作を決定する動作モードが、前記監視区域の異常を監視するモードである警備状態に設定されている場合、前記デッドボルトを前記孔部へ挿入された状態に保持する保持部と、を備えたことを特徴とする。
【００１０】
また、本発明は、前記保持部は、前記孔部内に移動不能に設けられていること、を特徴とする。
【００１１】
また、本発明は、前記動作モードが前記警備状態に設定されているときに前記保持部の移動を検知した場合、前記警備装置の前記動作モードが前記警備状態に設定されている旨を出力する出力部を更に備え、前記保持部は、前記孔部内に一定の範囲で移動可能に設けられていること、を特徴とする。
【００１２】
また、本発明は、前記保持部は、電磁石またはソレノイドを含み、前記電磁石または前記ソレノイドに対する通電によって前記デッドボルトを前記孔部内に挿入された状態に保持すること、を特徴とする。
【００１３】
また、本発明は、警備装置により異常事態の発生の有無が監視されている監視区域の出入口に設置され、操作者の操作に応じてデッドボルトを孔部へ挿入することにより出入口扉を施錠状態とする施錠方法において、前記警備装置の動作を決定する動作モードが、前記監視区域の異常を監視するモードである警備状態に設定されている場合、前記デッドボルトを前記孔部へ挿入された状態に保持する工程を含むこと、を特徴とする。
【発明の効果】
【００１４】
本発明では、警備装置の動作モードが警備状態に設定されている場合、監視区域への出入口扉に設置されたデッドボルトを孔部へ挿入された状態に保持する保持部を設けた。従って、本発明によれば、警備装置の動作モードを警備状態に設定した状態で入室者が監視区域への出入口扉の解錠を試みても解錠されないため、警備装置の動作モードを警備解除状態とせずに入室者が出入口扉を解錠状態とし監視区域内へ入室することによって発生する誤報を防止することができるという効果を奏する。
【００１５】
また、本発明では、保持部を、前記孔部内に移動不能に設けた。従って、本発明によれば、保持部は孔部内に固定されているため、保持部が壁面や扉の外部に露出せず、外観上の美観を損なうことがないという効果を奏する。
【００１６】
また、本発明では、保持部を、前記孔部内に設け一定の範囲で移動可能とし、前記警備装置の動作モードが警備状態に設定されているときに前記保持部の移動を検知した場合、前記警備装置の動作モードが警備状態に設定されている旨を出力する。従って、本発明によれば、警備装置の動作モードを警備状態に設定した状態で利用者が監視区域への出入口扉の解錠を試みると、保持部の移動を検知して警備装置の動作モードが警備状態である旨が出力されるため、利用者に対して警備設定を解除するよう注意喚起することができるという効果を奏する。
【００１７】
また、本発明によれば、保持部は、電磁石またはソレノイドであり、電磁石またはソレノイドに対する通電によってデッドボルトを孔部内に挿入された状態に保持することによって警備装置が警備状態に設定されたままでの解錠を阻止する。従って、出入口扉の頻繁な開閉を長年行うことによる装置の劣化を防止することができるという効果を奏する。
【００１８】
また、本発明では、警備装置の動作モードが警備状態に設定されている場合、デッドボルトを孔部へ挿入された状態に保持する。従って、本発明によれば、警備装置の動作モードを警備状態に設定した状態で入室者が監視区域への出入口扉の解錠を試みても解錠されないため、警備装置の動作モードを警備解除状態とせずに入室者が出入口扉を解錠状態とし監視区域内へ入室することによって発生する誤報を防止することができるという効果を奏する。
【発明を実施するための最良の形態】
【００１９】
以下に添付図面を参照して、本発明にかかる施錠装置および施錠方法の最良な実施の形態を詳細に説明する。
【００２０】
（第１の実施の形態）
本実施の形態にかかる施錠装置は、警備装置の動作モードが警備状態に設定されている場合に、出入口扉の解錠を不能とすることで第一入室者に警備装置の動作モードが警備状態に設定されていることを注意喚起するとともに、警備装置の動作モードを警備解除状態とせずに監視区域の出入口扉を開放することによって発生する監視センタへの誤報の送信を阻止するものである。
【００２１】
図１は、第１の実施の形態にかかる施錠装置と警備装置の一例を示す説明図である。本実施の形態にかかる警備装置４００は、操作部４０１と、センサ４０２−１〜４０２−ｎと、制御部４０３とを主に備えている。
【００２２】
操作部４０１は、監視区域の出入口扉１０付近の監視区域外に設置され、入退出者からの操作者情報の入力を受け付けるもので、例えばテンキーや、接触式または非接触式のカードリーダ、タッチパネル、指紋や虹彩や静脈等の生体情報読取装置等がある。
【００２３】
センサ４０２−１〜４０２−ｎは、監視区域に設置され、窓や扉の開放あるいは人の存在等を検知する。
【００２４】
制御部４０３は、予め１または複数の操作者情報を照合用情報として記憶手段に記憶しておき、操作部４０１からの操作者情報が入力すると、入力した操作者情報が照合用情報として記憶されているか否か判断する。入力した操作者情報が照合用情報として記憶されていた場合、正規の操作者による操作が行われたと判断し、現在の警備装置４００の動作モードを切替える。具体的には、現在の動作モードが警備状態である場合は警備解除状態に切替え、一方、現在の動作モードが警備解除状態である場合は、警備状態に切替える。
【００２５】
ここで、動作モードとは、監視区域に設置されている各種センサにより窓や扉の開放あるいは人の存在等を検知した際の監視センタへの警報の送信の要否、あるいは、監視区域内への報知の要否など、各種センサの検知動作時の警備装置４００の動作を決定するものである。動作モードには、通報の要否や通報先、監視区域内への報知の要否などによって複数のモードが存在する。代表的な動作モードとしては、各種センサの検知動作時、例えば、監視区域の異常を監視し、監視区域内への人の入室を検出した時に所定の通報先である監視センタに警報を送信する警備状態と、各種センサの検知動作時に監視センタに警報を送信しない警備解除状態が存在し、警備装置４００は、操作部４０１の操作に応じて動作モードを切替え設定するようにしている。
【００２６】
また、制御部４０３は、監視区域に設置されているセンサ４０２−１〜４０２−ｎにより監視区域での窓や扉の開放あるいは人の存在等が検知された場合、現在の警備装置４００の動作モードを確認し、現在の動作モードが警備状態であれば、インターネットや公衆回線などのネットワークを介して監視センタ５００へ警報を送信する。
【００２７】
さらに、制御部４０３は、現在の動作モードを示す信号を施錠装置１００へ出力する。
【００２８】
なお、本実施の形態では、制御部４０３に照合用情報を記憶しておき操作部４０１からの操作者情報を照合するようにしているが、これに限定されるものではなく、操作部４０１に照合用情報を記憶しておき操作部４０１にて入力された操作者情報と照合用情報とを照合するようにしてもよい。この場合、操作部４０１は、制御部４０３に対して照合が一致した旨の信号を出力し、制御部４０３では、この信号が入力したときに動作モードを切替え設定する。
【００２９】
本実施の形態にかかる施錠装置１００は、入退出者により施解錠される錠前部２００と、警備装置４００ならびに錠前部２００と接続され警備装置４００の動作モードに応じて錠前部２００への電源供給を行う制御部３００とを主に備えている。
【００３０】
制御部３００は、警備装置４００から供給される現在の警備装置４００の動作モードを示す信号が警備状態である場合は、錠前部２００に電源供給を行う。また、警備装置４００から供給される現在の警備装置４００の動作モードを示す信号が警備解除状態である場合は、錠前部２００への電源供給を停止する。
【００３１】
なお、本実施の形態では、施錠装置１００を構成する制御部３００が警備装置４００から供給される現在の警備装置４００の動作モードを示す信号に応じて錠前部２００への電源供給を行うようにしているが、これに限定されるものではなく、警備装置４００が自己の動作モードに応じて直接錠前部２００への電源供給を行うようにしてもよい。
【００３２】
図２は、第１の実施の形態にかかる施錠装置１００における錠前部２００を設置した一例を示す説明図である。図２に示すように、本実施の形態にかかる錠前部２００は、監視区域の出入口扉１０とその出入口扉１０に隣接する壁面１２に設置されており、入退出者により出入口扉１０の取手付近に設けられたシリンダ錠１１が操作されることで施解錠するものである。
【００３３】
次に、本実施の形態にかかる錠前部２００の構成について詳細に説明する。図３は、本実施の形態にかかる錠前部２００の構成の一例を示す断面図である。錠前部２００は、シリンダ錠１１と、デッドボルト２０と、孔部１３と、固定部２２と、電磁石２１（保持部）とで構成されており、電源線９０によって制御部３００に接続されている。
【００３４】
シリンダ錠１１は、出入口扉１０の取手付近に設けられ、予め決められた錠が挿入されることで回動可能となるものである。
【００３５】
デッドボルト２０は、略直方体形状の金属性材料で形成され、シリンダ錠１１の回動動作に応じて図３の水平方向にスライドする機構となっている。かかるシリンダ錠１１の回動に伴うデッドボルト２０のスライドの機構については、公知の錠前と同様の機構となっている。
【００３６】
具体的には、利用者がシリンダ錠１１を所定の方向（例えば、右回り方向）に回動させるとデッドボルト２０が図３の左方向にスライドして出入口扉１０から突出する。この突出したデッドボルト２０が後述する壁面１２の孔部１３に挿入されることで出入口扉１０を開けることを阻止する状態、つまり、施錠状態となる。また、施錠状態から、シリンダ錠１１を施錠のための回動方向と反対方向（例えば、左回り方向）に回動させると、デッドボルト２０が図３の右方向にスライドして出入口扉１０内部へ没入する。したがって、後述する孔部１３内部からデッドボルト２０が抜き取られ出入口扉１０が開放可能な状態、つまり、解錠状態となる。
【００３７】
孔部１３は、出入口扉１０に隣接する壁面１２にデッドボルト２０の径よりやや大きい径の直方体形状で形成されている。具体的には、孔部１３は、図３に示すように、奥内壁３０ａと上内壁３０ｂと下内壁３０ｃと側内壁３０ｄとで形成され、出入口扉１０側に向けた開口部３０ｅを有し、出入口扉１０から突出されたデッドボルト２０が挿入可能となっている。
【００３８】
固定部２２は、デッドボルト２０と同様に略直方体形状となっており、ビス３１によって孔部１３の奥内壁３０ａ側から孔部１３内に固定されており、出入口扉１０側の端面に後述する電磁石２１が装着されている。
【００３９】
電磁石２１は、デッドボルト２０の断面積とほぼ同一の断面積を有する略直方体形状で形成され、固定部２２の出入口扉１０側の端面に装着されている。かかる電磁石２１の位置は、デッドボルト２０が孔部１３に挿入された施錠状態のときに電磁石２１の出入口扉１０側の端面がデッドボルト２０の奥内壁３０ａ側の先端面に接触する位置となっている。また、電磁石２１は、電源線９０によって制御部３００に接続されており、制御部３００からの電源供給により通電すると電磁力を生じ、かかる電磁力により孔部１３内に挿入されたデッドボルト２０を吸着し孔部１３に挿入された状態に保持する。つまり、シリンダ錠１１を回動することによる孔部１３内に挿入されたデッドボルト２０の抜き取りを阻止し解錠を困難にする。なお、制御部３００から電源供給が停止し電磁石２１が非通電状態となるとデッドボルト２０を吸着する電磁力が消滅するため、シリンダ錠１１を回動することで孔部１３内に挿入されたデッドボルト２０を容易に抜き取ることが可能になる。
【００４０】
次に、以上のように構成された本実施の形態にかかる施錠装置１００ならびに警備装置４００の動作を説明する。
【００４１】
まず、監視区域からの最終退出者は、監視区域から退出した後、出入口扉１０を閉めた状態で出入口扉１０に設置された錠前部２００のシリンダ錠１１に鍵を挿入して所定方向に回動させる。これにより、錠前部２００を構成するデッドボルト２０が出入口扉１０から突出し、この突出したデッドボルト２０が壁面１２の孔部１３に挿入されるため、錠前部２００は、出入口扉１０を開けることを阻止する状態、つまり、施錠状態となる。
【００４２】
次に、最終退出者は、監視装置の動作モードを警備状態に切替るため、操作部４０１から操作者情報を入力する。最終退出者により入力された操作者情報は、操作部４０１から警備装置４００の制御部４０３へ出力される。
【００４３】
制御部４０３では、操作部４０１からの操作者情報が入力すると、当該操作者情報が予め記憶している照合用情報と一致するか否か判断する。この結果、入力された操作者情報が照合用情報として記憶されていた場合、正規の操作者による操作が行われたと判断し、警備装置４００の動作モードを切替える。つまり、これまで監視区域は有人であったことから現在の警備装置４００の動作モードは警備解除状態であるため、制御部４０３は警備装置４００の動作モードを警備状態に切替え設定する。
【００４４】
一方、制御部４０３は、入力された操作者情報が照合用情報として記憶されていなかった場合、再度操作者情報が入力されるまで待機する。
【００４５】
警備装置４００の動作モードが警備状態に設定されると、施錠装置１００の制御部３００は、電磁石２１に電源を供給する。これにより、電磁石２１が通電して電磁力が生じ、かかる電磁力により孔部１３内に挿入されたデッドボルト２０を吸着し孔部１３に挿入された状態に保持する。つまり、シリンダ錠１１を回動することによる孔部１３内に挿入されたデッドボルト２０の抜き取りを阻止し鍵を用いた解錠を困難な状態とする。
【００４６】
その後、監視区域への第一入室者は、まず、警備装置４００の動作モードを警備解除状態に切替えるため、操作部４０１から操作者情報を入力する。第一入室者により入力された操作者情報は、操作部４０１から制御部４０３へ出力される。
【００４７】
制御部４０３では、操作部４０１からの操作者情報が入力すると、当該操作者情報が予め記憶している照合用情報と一致するか否か判断する。この結果、入力された操作者情報が照合用情報として記憶されていた場合、正規の操作者による操作が行われたと判断し、警備装置４００の動作モードを切替える。つまり、現在の警備装置４００の動作モードは警備状態であるため、制御部４０３は警備装置４００の動作モードを警備解除状態に切替え設定する。
【００４８】
一方、制御部４０３は、入力された操作者情報が照合用情報として記憶されていなかった場合、再度操作者情報が入力されるまで待機する。
【００４９】
警備装置４００の動作モードが警備解除状態に設定されると、施錠装置１００の制御部３００は、電磁石２１への電源の供給を停止する。これにより、電磁石２１が非通電状態となりデッドボルト２０を吸着し孔部１３に挿入された状態に保持する電磁力が消滅する。つまり、シリンダ錠１１を回動することにより孔部１３内に挿入されたデッドボルト２０を容易に抜き取ることが可能な状態になる。
【００５０】
次に、第一入室者は、出入口扉１０に設置された錠前部２００のシリンダ錠１１に鍵を挿入して所定方向に回動させる。これにより、壁面１２の孔部１３に挿入されているデッドボルト２０が出入口扉１０内部へ没入し、孔部１３より抜き取られるため、錠前部２００は、出入口扉１０が開放可能な状態、つまり、解錠状態となるため、第一入室者は監視区域内に入ることが可能となる。
【００５１】
なお、第一入室者が警備装置４００の動作モードを警備解除状態に切替えずにシリンダ錠１１に鍵を挿入して解錠を試みた場合、警備装置４００の動作モードが警備状態に設定されたままとなる。つまり、制御部３００より電磁石２１に電源が供給され続け、孔部１３内に挿入されたデッドボルト２０が電磁石２１に吸着され孔部１３に挿入された状態に保持されている。このため、第一入室者がシリンダ錠１１を回転させ解錠を試みたとしてもデッドボルト２０は移動せず解錠状態とならない。したがって、第一入室者は監視区域に設置した警備装置４００が警備状態に設定されていることを思い出し（気付き）、警備解除状態に設定しなおしてから、再度施錠部２００の解錠を行うことになる。
【００５２】
このように、本実施の形態にかかる施錠装置１００によれば、警備装置４００を警備状態に設定したままの状態では、入室者がシリンダ錠１１の操作による監視区域への出入口扉１０の解錠を試みても錠前部２００は解錠状態とならない。このため、警備装置４００の動作モードを警備解除状態に設定することを失念した第一入室者が出入口扉１０を解錠して監視区域内に入室することにより発生する監視センタ５００への誤報を防止することができる。
【００５３】
また、孔部１３内に設けた電磁石２１により孔部１３内に挿入され施錠状態にあるデッドボルト２０を吸着することでシリンダ錠１１の操作による解錠を阻止するようにしているため、出入口扉１０の頻繁な開閉を長年行うことによる装置の劣化を防止することができる。
【００５４】
さらに、電磁石２１は孔部１３内に固定されているため、電磁石２１が壁面や扉の外部に露出せず、外観上の美観を損なうことがない。
【００５５】
（第２の実施の形態）
第１の実施の形態にかかる施錠装置における錠前部は、保持部として電磁石を用い、当該電磁石に電源を供給することによりデッドボルトを孔部内に保持することによって、解錠不能にするものであるが、第２の実施の形態にかかる施錠装置における錠前部は、保持部として電磁石の代わりにソレノイドを用い、当該ソレノイドに電源を供給することにより同様の処理を行うものである。
【００５６】
図４は、第２の実施の形態にかかる施錠装置と警備装置の一例を示す説明図である。本実施の形態にかかる警備装置４００および制御部３００の構成は、第１の実施の形態にかかる警備装置４００と同じであるためここでは説明を省略する。
【００５７】
また、本実施の形態にかかる施錠装置７００における錠前部の設置例は、第１の実施の形態と同様であるため、説明を省略する（図２参照）。
【００５８】
次に、本実施の形態にかかる錠前部６００の構成について詳細に説明する。図５は、本実施の形態にかかる錠前部６００の構成の一例を示す断面図である。図５に示すように、錠前部６００は、シリンダ錠１１と、デッドボルト２０と、孔部１３と、固定部２２と、ソレノイド２５（保持部）とで構成されており、電源線９０によって制御部３００（図４参照）に接続されている。
【００５９】
なお、シリンダ錠１１、孔部１３、デッドボルト２０の構成及び機能は、第１の実施の形態にかかる錠前部２００と同様であるので、ここでは説明を省略する。
【００６０】
図５に示す固定部２２は、第１の実施の形態と同様に、ビス３１によって孔部１３の奥内壁３０ａ側から孔部１３内に固定されており、出入口扉１０側の端面に後述するソレノイド２５が装着されている。
【００６１】
なお、ソレノイドを固定するための固定部の構造はこれに限定されるものではなく、例えば、図６に示すように一端に羽部を備え当該羽部をビス３１によって孔部１３の開口部近傍の壁面に取り付けることで孔部１３内に固定される筒状体により形成するようにしてもよい。このような固定部２４では、ステンレス等のソレノイド２６が発生させる電磁力を打ち消さないような材質のものとし、固定部２４の筒状体部分にソレノイド２６が装着されている。固定部をこのような形状とすれば、孔部１３の奥行がなく、図５に示すような孔部１３の奥内壁３０ａ側から孔部１３内に固定される固定部によるソレノイドの装着が困難な場合であっても、ソレノイドの装着が可能となる。
【００６２】
ソレノイド２５は、その径がデッドボルト２０の径より大きく形成され、固定部２２の出入口扉１０側の端面に装着されている。かかるソレノイド２５の位置は、デッドボルト２０が孔部１３に挿入された施錠状態のときにソレノイド２５の中空部にデッドボルト２０の先端部が挿入される位置となっている。また、ソレノイド２５は、電源線９０によって制御部３００に接続されており、制御部３００からの電源供給により通電すると電磁力を生じ、かかる電磁力により中空部に挿入されたデッドボルト２０を挿入された状態に保持する。つまり、シリンダ錠１１を回動することによる孔部１３内に挿入されたデッドボルト２０の抜き取りを阻止し解錠を困難にする。なお、制御部３００から電源供給が停止しソレノイド２５が非通電状態となるとデッドボルト２０を保持する電磁力が消滅するため、シリンダ錠１１を回動することで孔部１３内に挿入されたデッドボルト２０を容易に抜き取ることが可能になる。
【００６３】
次に、以上のように構成された本実施の形態にかかる施錠装置７００の動作を説明する。なお、本実施の形態にかかる施錠装置７００は、制御部３００が、ソレノイド２５に対して電源供給および電源供給の停止を行う点、ならびに、錠前部６００を構成する保持部が電磁石ではなくソレノイド２５である点が第１の実施の形態にかかる施錠装置１００と異なっているのみで、他の構成、機能および動作については第１の実施の形態にかかる施錠装置１００と同じであるため、ここでは説明を省略する。
【００６４】
制御部３００は、警備装置４００の動作モードが警備状態に設定された場合、錠前部６００のソレノイド２５に電源線９０を介して電源供給を行う。これにより、ソレノイド２５が通電して電磁力が生じ、かかる電磁力により孔部１３内に挿入されて施錠状態にあるデッドボルト２０を挿入された状態に保持する。つまり、シリンダ錠１１を回動することによる孔部１３内に挿入されたデッドボルト２０の抜き取りを阻止し鍵を用いた解錠を困難な状態とする。
【００６５】
また、制御部３００は、警備装置４００の動作モードが警備解除状態に設定された場合は、ソレノイド２５への電源供給を停止し、ソレノイド２５を非通電の状態とする。これにより、ソレノイド２５が非通電状態となりデッドボルト２０を孔部１３に挿入された状態に保持する電磁力が消滅する。つまり、シリンダ錠１１を回動することにより孔部１３内に挿入されたデッドボルト２０を容易に抜き取ることが可能になる。
【００６６】
このように、本実施の形態にかかる施錠装置７００によれば、警備装置４００を警備状態に設定したままの状態では、入室者がシリンダ錠１１の操作による監視区域への出入口扉１０の解錠を試みても錠前部６００は解錠状態とならない。このため、警備装置４００の動作モードを警備解除状態に設定することを失念した第一入室者が出入口扉１０を解錠して監視区域内に入室することにより発生する監視センタ５００への誤報を防止することができる。
【００６７】
また、孔部１３内に設けたソレノイド２５により孔部１３内に挿入され施錠状態にあるデッドボルト２０を挿入された状態に保持することによってシリンダ錠１１の操作による解錠を阻止するようにしているため、出入口扉１０の頻繁な開閉を長年行うことによる装置の劣化を防止することができる。
【００６８】
さらに、ソレノイド２５は孔部１３内に固定されているため、ソレノイド２５が壁面や扉の外部に露出せず、外観上の美観を損なうことがない。
【００６９】
（第３の実施の形態）
第１の実施の形態にかかる施錠装置における錠前部は、保持部として電磁石を用い、当該電磁石に電源を供給することによりデッドボルトを吸着し孔部内に保持することによって解錠不能にするものである。第３の実施の形態にかかる施錠装置における錠前部は、第１の実施の形態と同様に通電された電磁石によってデッドボルトを吸着し孔部内に保持し、さらに、孔部内の一定距離の範囲内でのデッドボルトの移動を許容しその移動を検知して動作モードが警備状態に設定されている旨を利用者に報知するものである。
【００７０】
図７は、第３の実施の形態にかかる施錠装置と警備装置の一例を示す説明図である。本実施の形態にかかる警備装置４００の構成は、第１の実施の形態にかかる警備装置４００と同じであるためここでは説明を省略する。
【００７１】
制御部３０００は、警備装置４００から供給される現在の警備装置４００の動作モードを示す信号が警備状態である場合は、錠前部２０００に電源供給を行う。また、警備装置４００から供給される現在の警備装置４００の動作モードを示す信号が警備解除状態である場合は、錠前部２０００への電源供給を停止する。さらに、警備装置４００から供給される現在の警備装置４００の動作モードを示す信号が警備状態である場合は、後述するマイクロスイッチ４５の閉状態から開状態となり、この開状態を検知すると、後述する出力部４０を起動させる。
【００７２】
本実施の形態にかかる施錠装置１０００における錠前部２０００の設置例は、第１の実施の形態と同様であるため、説明を省略する（図２参照）。
【００７３】
次に、本実施の形態にかかる錠前部２０００の構成について詳細に説明する。図８は、本実施の形態にかかる錠前部２０００の構成の一例を示す断面図である。図８に示すように、錠前部２０００は、シリンダ錠１１と、デッドボルト２０と、孔部１３と、固定部２３と、ストッパー３３と、電磁石２１（保持部）と、マイクロスイッチ４５と、スピーカー等の出力部４０とで形成されており、電源線９０によって後述する制御部３０００に接続されている。
【００７４】
ここで、シリンダ錠１１、孔部１３、デッドボルト２０、電磁石２１の構成及び機能は、第１の実施の形態にかかる施錠装置と同様であるので、説明を省略する。
【００７５】
固定部２３は、第１の実施の形態と同様に、出入口扉１０側の端面に電磁石２１が装着されており、その内部に２個の中空部１４が設けられ、奥内壁３０ａ側から中空部１４にわたりビス３２を貫通させて孔部１３内に固定されている。各中空部１４内には、中空部１４内を移動可能なストッパー３３が設けられ、ビス３２はストッパー３３を貫通して扉１０側ねじ頭でストッパー３３を係止している。これにより、固定部２３は、距離ａの範囲で水平方向に移動可能となっている。すなわち、警備装置４００の動作モードが警備状態に設定されているときに入室者による解錠操作が行われると、固定部２３は、電磁石２１とデッドボルト２０と共に、孔部１３内の奥内壁３０ａから一定の距離ａの範囲で移動する。なお、図９に示すように保持部として電磁石２１ではなく第２の実施の形態と同様にソレノイド２７を装着するようにしてもよい。
【００７６】
マイクロスイッチ４５は、微小接点間隔とスナップ・アクション機構を有し、規定された動きと規定された力で開閉動作する接点機構のスイッチである。このマイクロスイッチ４５は、奥内壁３０ａと固定部２３との間に設けられ、奥内壁３０ａに固定部２３が密着している状態で接点が閉状態となり、固定部２３が奥内壁３０ａから離れた場合に接点が開状態となるようになっている。
【００７７】
出力部４０は、固定部２３に内蔵されており、マイクロスイッチ４５の開閉状態に基づいた制御部３０００からの指示により起動し、警備装置４００の動作モードが警備状態に設定されている旨を出力するものである。例えば「只今、警備状態に設定中です。警備状態を解除してから入館してください」等のメッセージを音声等により出力する。なお、出力部４０の設置場所は、固定部２３の内部に限定されることなく、入室者にメッセージの音声が届く場所であれば、いずれの場所に設置してもよい。また、出力部４０は、入室者に警備装置４００の動作モードが警備状態に設定されている旨を通知することができればよく、音声に限らず、文字や光等によって通知するようにしてもよい。さらに、出力部４０はマイクロスイッチ４５の開閉動作を直接検出し、マイクロスイッチ４５が閉状態から開状態になると、警備装置４００の動作モードが警備状態に設定されている旨を出力するようにしてもよい。この場合、制御部３０００は、第１の実施の形態の制御部３００と同様に、錠前部２０００への電源供給の制御のみを行えばよい。
【００７８】
次に、以上のように構成された本実施の形態にかかる施錠装置１０００ならびに警備装置４００の動作を説明する。なお、最終退出者が退出する際の動作ならびに第一入室者が警備装置４００の動作モードを警備解除状態に設定後解錠した際の動作については、第１の実施の形態と同様であるため、説明を省略する。
【００７９】
第一入室者が警備装置４００の動作モードを警備解除状態に切替えずにシリンダ錠１１に鍵を挿入して解錠を試みた場合、警備装置４００の動作モードが警備状態に設定されたままとなる。つまり、制御部３０００より電磁石２１に電源が供給され続け、孔部１３内に挿入されたデッドボルト２０が電磁石２１に吸着された状態である。このため、第一入室者がシリンダ錠１１に鍵を挿入して回転させると図１０に示すようにデッドボルト２０が孔部１３より抜き取られる方向に移動しこれにつられ電磁石２１と電磁石２１に装着された固定部２３が孔部１３内の奥内壁３０ａから一定の距離ａの範囲で移動する。
【００８０】
すると、マイクロスイッチ４５が、閉状態から開状態となり、これを検出した制御部３０００は、警備装置４００から供給される現在の警備装置４００の動作モードを示す信号が警備状態であることから、出力部４０を起動させ、出力部４０より「只今、警備状態に設定中です。警備状態を解除してから入館してください」等のメッセージを出力させる。したがって、第一入室者は監視区域に設置した警備装置４００が警備状態に設定されていることを思い出し（気付き）、警備解除状態に設定しなおしてから、再度錠前部２０００の解錠を行うことになる。
【００８１】
なお、警備装置４００の動作モードが警備状態である間は、シリンダ錠１１を回転させ解錠を試みても、固定部２３が孔部１３内の奥内壁３０ａから一定の距離ａの範囲でしか移動しないことから、電磁石２１に吸着しているデッドボルト２０が孔部１３から完全に抜き取られることはなく解錠状態とならない。
【００８２】
このように、本実施の形態における施錠装置１０００によれば、警備装置４００を警備状態に設定したままの状態で入室者がシリンダ錠１１の操作による監視区域への出入口扉１０の解錠を試みても錠前部２００は解錠状態とならない。このため、警備装置４００の動作モードを警備解除状態に設定することを失念した第一入室者が出入口扉１０を解錠して監視区域内に入室することにより発生する監視センタ５００への誤報を防止することができる。
【００８３】
また、孔部１３内に設けた電磁石２１により孔部１３内に挿入され施錠状態にあるデッドボルト２０を吸着することでシリンダ錠１１の操作による解錠を阻止するようにしているため、出入口扉１０の頻繁な開閉を長年行うことによる装置の劣化を防止することができる。
【００８４】
さらに、電磁石２１は孔部内に設置されているため、電磁石２１が壁面や扉の外部に露出せず、外観上の美観を損なうことがない。
【００８５】
また、警備装置４００の動作モードが警備状態である間は、シリンダ錠１１を回転させ出入口扉１０の解錠を試みた場合、デッドボルト２０の移動を検知して警備装置４００の動作モードが警備状態である旨が出力されるため、入室者に対して警備装置４００の動作モードを切替えるよう注意喚起することができる。
【００８６】
なお、第１の実施の形態〜第３の実施の形態では、監視区域の異常を監視し、警備装置が監視区域内への人の入室を検出すると監視センタに警報を送信するモードを警備状態としていたが、本発明は、これに限定されず、警備装置が監視区域内への人の入室を検出すると監視領域に設置された威嚇ブザー等で音声報知を行うモードを警備状態とした場合であっても適用することが可能である。この場合には、警備装置の動作モードを警備解除状態に設定することを失念した第一入室者が出入口扉を解錠して監視区域内に入室することによって発生する不要な威嚇ブザー等の音声報知を防止することができる。
【図面の簡単な説明】
【００８７】
【図１】第１の実施の形態にかかる施錠装置と警備装置の一例を示す説明図である。
【図２】第１の実施の形態にかかる施錠装置における錠前部を設置した一例を示す説    明図である。
【図３】第１の実施の形態にかかる錠前部の構成の一例を示す断面図である。
【図４】第２の実施の形態にかかる施錠装置と警備装置の一例を示す説明図である。
【図５】第２の実施の形態にかかる錠前部の構成の一例を示す断面図である。
【図６】第２の実施の形態におけるソレノイドの他の設置例を示す断面図である。
【図７】第３の実施の形態にかかる施錠装置と警備装置の一例を示す説明図である。
【図８】第３の実施の形態にかかる錠前部の構成の一例を示す断面図である。
【図９】第３の実施の形態にかかる錠前部にソレノイドを用いた例を示す断面図であ    る。
【図１０】警備装置の動作モードを警備解除状態に切替えずに、第３の実施の形態に    かかる錠前部の解錠を開始した状態を示す断面図である。
【符号の説明】
【００８８】
１００，７００，１０００  施錠装置
２００，６００，８００，２０００  錠前部
１０  出入口扉
１１  シリンダ錠
１２  壁面
１３  孔部
２０  デッドボルト
２１  電磁石
２２，２３，２４  固定部
２５，２６，２７  ソレノイド
３０ａ  奥内壁
３０ｂ  上内壁
３０ｃ  下内壁
３０ｄ  側内壁
３０ｅ  開口部
３１，３２  ビス
３３  ストッパー
４０  出力部
４５  マイクロスイッチ
９０  電源線
３００，３０００  制御部
４００  警備装置
４０１  操作部
４０２−１，４０２−ｎ  センサ
４０３  制御部
５００  監視センタ
【図１】
2007186955.tif 000003
【図２】
2007186955.tif 000004
【図３】
2007186955.tif 000005
【図４】
2007186955.tif 000006
【図５】
2007186955.tif 000007
【図６】
2007186955.tif 000008
【図７】
2007186955.tif 000009
【図８】
2007186955.tif 000010
【図９】
2007186955.tif 000011
【図１０】
2007186955.tif 000012